(57)【特許請求の範囲】
【請求項１】
ラップトップ・コンピュータをその専用部分に収納し、検査場でＸ線検査を受けたとき、ラップトップ・コンピュータを該専用部分から取り出す必要がない、検問に適した鞄であって、
ａ）前記ラップトップ・コンピュータ以外の品物を収納する非専用区画と、
ｂ）前記非専用区画との共通端部で、該非専用区画にちょうつがい状に取り付けられ、金属製のつまみやチャック、バックル、ポケットがなく、ラップトップ・コンピュータのみを収納する専用区画と、
ｃ）ちょうつがい状に該専用区画の前記共通端部に取り付けられる部分と、展開する部分と、開放端とを有するフラップと、
を含み、
前記非専用区画の外面の下部および前記開放端に隣接する前記フラップの内面には、バックルが配されており、前記非専用区画から前記フラップを簡単に取り外せるようになっており、
非検査モードにおいて、前記専用区画は該非専用区画に対して隣り合う関係で分離可能に固定され、前記フラップの前記展開する部分は前記専用区画に重ねられ、
検査モードにおいて、前記専用区画は該非専用区画から取り外されて広げられ、該非専用区画に対して同一平面状で平らにおかれ、前記フラップは、前記非専用区画の上にあり、または前記専用区画の上に折り曲げることができることを特徴とする、検問に適した鞄。
【請求項２】
前記バックルは、一対の第１簡易分離式バックルであり、
前記一対の第１簡易分離式バックルの各々は専用区画と非専用区画の互いに隣り合った側面に配されており、検査モードのとき、容易に専用区画を非専用区画から離すことができる、請求項１の鞄。
【請求項３】
前記一対の第１簡易分離式バックルの各々は、雄部と雌部からなり、それぞれ専用区画と非専用区画の互いに隣り合った側面に配されている、請求項２の鞄。
【請求項４】
前記専用区画は、第１の非金属製チャックを介してラップ・トップコンピュータの出し入れをし、
前記第１の非金属製チャックは、該共通端部の近傍で該専用区画の上面に配されている、請求項１の鞄。
【請求項５】
前記非専用区画は、第２の非金属製チャックを介してラップトップ・コンピュータ以外の品物の出し入れをし、
前記第２の非金属製チャックは、該共通端部の近傍で該非専用区画の上面に配されている、請求項１の鞄。
【請求項６】
前記非専用区画は、第３の非金属製チャックを介して展開でき、
前記第３の非金属製チャックは、該非専用区画の側面及び底面にかけて連続するように配されている、請求項１の鞄。
【請求項７】
前記非専用区画は、一対の平らで開くことのできるサイドガシェットポケットを備えており、
前記一対のサイドガシェットポケットは、ラップトップ・コンピュータ以外の品物を収納するために、非専用区画の外面でその上側部及び下側部のそれぞれに配されている、請求項１の鞄。
【請求項８】
非専用区画にある前記一対の平らで開くことのできるサイドガシェットポケットは、第４の非金属製チャックおよび第５の非金属製チャックでそれぞれ開き閉めする、請求項７の鞄。
【請求項９】
非専用区画の外面でその上側部に配されている前記平らで開くことのできるサイドガシェットポケットは、その中に第３の平らで開くことのできるサイドガシェットポケットを隠しており、
前記第３の平らで開くことのできるサイドガシェットポケットは、第６の非金属製チャックを介してラップトップ・コンピュータ以外の品物を出し入れできる、請求項７の鞄。
【請求項１０】
鞄は取っ手を備えており、
前記取っ手は、該フラップの外面に取り付けられており、
前記取っ手は、該フラップの開放端に向かってフラップの中央から偏っている、請求項１の鞄。
【請求項１１】
鞄は、一対の第２簡易分離式バックルを備えており、
前記第２簡易分離式バックルの各々は、該非専用区画の外面でその下部と、該フラップの内面でその開放端近傍とに配されており、
該一対の平らで開くことのできるサイドガシェットポケット若しくは該第３の平らで開くことのできるサイドガシェットポケットに対するアクセスが必要な時には、非専用区画から該フラップを簡単に外せるようになっている、請求項１０の鞄。
【請求項１２】
前記第２簡易分離式バックルの各々は、雄部と雌部からなり、それぞれ非専用区画の外面でその下部、及びフラップの内面でその開放端近くに配されている、請求項１１の鞄。
【請求項１３】
鞄は、肩掛け帯を備えており、
前記肩掛け帯は、取り外し可能に専用区画の一方の側面から同じく専用区画の他方の側面に延びている、請求項２の鞄。
【発明の詳細な説明】
【技術分野】
【０００１】
本願発明の実施形態は、ラップトップ・コンピュータ用の鞄に関し、より詳しくは本願発明の実施形態は検問に適した鞄に関し、ラップトップ・コンピュータを専用部分に収納し、検査場でＸ線検査を受けたとき、ラップトップ・コンピュータを専用部分から取り出すことなく、そのままで鮮明且つ遮られることが無く明瞭な像を提供するものである。
【背景技術】
【０００２】
９．１１以来、世界中の公共輸送が大きく変化している。事実、新しい政府機関である輸送保安庁（Ｔｒａｎｓｐｏｒｔａｔｉｏｎ  Ｓｅｃｕｒｉｔｙ  Ａｇｅｎｃｙ（ＴＳＡ））ができ、空港や他の施設で高度の保安に責任を有している。ＴＳＡ要員により個々の乗客や、飛行機に搭載される全ての荷物を検査しているが、これにより長蛇の列や、搭乗待ち時間の増大をもたらしている。
【０００３】
ＴＳＡ要員は、違法な化合物や物品の不存在を確認するために巧妙な機器を用いるが、ある種の装置による目視検査の必要性も残っている。飛行機は、乗客が様々な荷物を持ち込むことに寛容であったため、これらの品物を開けたり閉めたりすることで、更に保安場所の通過の遅延をもたらしている。
【０００４】
ラップトップ・コンピュータは、多くの旅行客にとって旅行中仕事若しくは娯楽のために普通の携行品になってきている。従来のラップトップ・コンピュータは、一体化した搬送用具を備えていないので、通常は携行鞄に入れられる。多くの場合、持ち主がラップトップ・コンピュータとともに揃えたい周辺機器や他の品物を運ぶため、鞄には様々なポケットや仕切りが設けてある。携行鞄は、軟質もしくは硬質の材料からなり、これらはパッドが入っていて、保護のためラップトップ・コンピュータを完全に覆っている。
【０００５】
保安検査処理を流れ作業化し、且つラップトップ・コンピュータをよりよく保護するため、ＴＳＡは現在、乗客が検問基準に適合した鞄にラップトップ・コンピュータを入れたままにしておくことを容認している。鞄が検問基準に適合するためには、以下の条件を満たす必要がある。
●  指定されたラップトップ・コンピュータ用の部位を有すること
●  ラップトップ・コンピュータ専用部位が完全に広げられた状態で、平らにＸ線照射ベルトにおけること
●  ラップトップ・コンピュータ専用部位の内部、下側若しくは上側に、金属のつまみやチャック、バックルがないこと
●  ラップトップ・コンピュータ専用部位の内側あるいは外側に、ポケットが無いこと、および
●  ラップトップ・コンピュータ専用部位に、ラップトップ・コンピュータ以外のものが入っていないこと
【０００６】
しかして、指定されたラップトップ・コンピュータ専用部位を有し検問に適したラップトップ鞄として、ラップトップ・コンピュータ専用部位が完全に広げられた状態で平らにＸ線照射ベルトにおけ、ラップトップ・コンピュータ専用部位の内部、下側若しくは上側に金属のつまみやチャック、バックルがなく、ラップトップ・コンピュータ専用部位の内側あるいは外側にポケットが無く、ラップトップ・コンピュータ専用部位にラップトップ・コンピュータ以外のものが入らないものが、要求されている。
【０００７】
従来からラップトップ・コンピュータ用鞄として様々な改良が提案されている。以下この技術分野の発展過程を示すため様々な改良を経時的に説明する。これらの説明の内容はこれらを参照することで本明細書に包含される。これらの改良例は、これらが解決しようとする個々の目的には適しているかもしれないが、これらは本願発明の実施形態とは相異しており、ラップトップ・コンピュータを専用部分に収納し、検査場でＸ線検査を受けたとき、ラップトップ・コンピュータを専用部分から取り出すことなく、そのままで鮮明且つ遮られることが無く明瞭な像が得られるような検問に適した鞄は教示していない。
【０００８】
（１）米国特許第５，０１０，９８８号，Ｂｒｏｗｎ
１９９１年４月３０日Ｂｒｏｗｎあてに米国で発行され、クラス１９０、サブクラス１０４に分類された米国特許第５，０１０，９８８号は、ラップトップ・コンピュータやプリンタ、ファクスなどの運搬に特に適した携行鞄を開示しており、これは頑丈で且つ耐水性の材料でできた外側の殻部と、主収容区画及び二次的収納区画とからなる内装部とを含んでいる。周辺の側面構造に形成された拡張領域により、二次的収納区画は折りたたまれ且つしまわれた位置と広げられ且つ扱い可能な位置との間で調整でき、これによりコンピュータ機器を収納可能な第二区画を提供している。この携行鞄は、更に衝撃吸収材料の層からなる耐衝撃構造を含んでおり、これは、外側の殻部と、鞄内部を囲んで保護するように配された内側の裏打ちとの間にある。
【０００９】
（２）米国登録意匠第３６０，９７８号，Ｗｉｌｌａｒｄ  ｅｔ  ａｌ．
１９９５年８月８日Ｗｉｌｌａｒｄ  ｅｔ  ａｌあてに米国で発行され、クラスＤ３、サブクラス３０１に分類された米国登録意匠第３６０，９７８号は、ラップトップ・コンピュータ用鞄の装飾的な意匠を開示している。
【００１０】
（３）米国特許第５，６７６，２２３号，Ｃｕｎｎｉｎｇｈａｍ
１９９７年１０月１４日Ｃｕｎｎｉｎｇｈａｍあてに米国で発行され、クラス１９０、サブクラス１０９に分類された米国特許第５，６７６，２２３号は、前部室、中部室、展開可能な後部室、着脱可能で携帯コンピュータを運ぶために設計された携帯コンピュータ運搬用バッグ及び、スーツ運搬具とを備えたビジネス用ケースを開示している。バッグは、前部室の前面部に位置する二つの枠のうちの一つに落とし込める。更にこれらの枠は、運搬用バッグに収納された携帯コンピュータに対するアクセスも容易にしている。あるいは、スーツ運搬具をケースの前側室に収納したときは、携行用バッグは閉じられ且つ後側の拡張室に収納する。中部室は、衣類や旅行に関連した出張用の品物を収められるようサイズが決められ、また小物類用のパッチも備えている。更に、箱体の中部室は、ケースを容易に動かし且つ安定化するために車やハンドル、脚を含んでいてもよい。
【００１１】
（４）米国登録意匠第４３２，３１１号，Ｗｅｉｎｒｅｂ
２０００年１０月２４日Ｗｅｉｎｒｅｂあてに米国で発行され、クラスＤ３、サブクラス３１９に分類された米国登録意匠第４３２，３１１号は、ラップトップ・コンピュータ用鞄の装飾的な意匠を開示している。
【００１２】
（５）米国特許第６，２１３，２６７Ｂ１号，Ｍｉｌｌｅｒ
２００１年４月１０日Ｍｉｌｌｅｒあてに米国で発行され、クラス１９０、サブクラス１０８に分類された米国特許第６，２１３，２６７Ｂ１号は、ラップトップ・コンピュータや種々のコンピュータ付属品を格納できる着脱可能な手提げ部分を備えた携行手荷物キャリーケースを開示している。着脱自在な手提げ部分は、キャリーケースの主部と手提げ部の周囲に配されたチャックにより、主部に結合する。一度主部から切り離されると、手提げ部は、各部の内側対向面に沿った材料で互いに隣り合う端部に沿って結合した上部及び下部を含んで、折りたたむことができる。そして、固定チャックにより、上部と下部を相互に対向した状態で固定できる。チャックつきのポーチの一つに収められたラップトップ・コンピュータを有する手提げ部は、キャリーケースの本体から独立し且つ分離した状態で使用できる。チャックにより、手提げ袋の各部を互いに固定でき、又チャックによりキャリーケースの本体と取り外し部を結合できるので、追加のチャックや結合具を要しない。手荷物用コンビネーションキャリーケースと携帯コンピュータ収納ケースを一体化している。
【００１３】
（６）米国登録意匠第４４３，９８３Ｓ号，Ｈｉｌｌｍａｎ
２００１年６月２６日Ｈｉｌｌｍａｎあてに米国で発行され、クラスＤ３、サブクラス２７６に分類された米国登録意匠第４４３，９８３Ｓ号は、ノートブック・コンピュータ用ケースの装飾的な意匠を開示している。
【００１４】
（７）米国特許公開公報第２００４／０２１７０２７Ａ１号，Ｈａｒｒｉｓ  ｅｔ  ａｌ．
２００４年１１月４日Ｈａｒｒｉｓ  ｅｔ  ａｌ．名で公開され、、クラス２０６、サブクラス３２０に分類された米国特許公開公報第２００４／０２１７０２７Ａ１号は、コンピュータ用のキャリーケースを開示しており、これは帯紐でできており、検査要員がコンピュータをケースから取り出すことなしに、目視できる。ラップ・トップコンピュータは、ケースをはずすことなく開けて使用することができる。
【００１５】
（８）米国特許公開公報第２００６／００９０９７６Ａ１号，Ｒｅｐｋｅ  ｅｔ  ａｌ．
２００６年５月４日Ｒｅｐｋｅ  ｅｔ  ａｌ．名で公開され、、クラス１９０、サブクラス１１０に分類された米国特許公開公報第２００６／００９０９７６Ａ１号は、コンピュータやその他の品目を整理できる旅行用バッグを開示している。これはコンピュータ用隔室を有しており、小物類のためのポケットと二口ポケットを含んでいる。平らなポケットが二口ポケットの二つの側部に配されている。バッグの外側部を開けると、二口ポケットと平らなポケットの内容物にアクセスできる。平らなポケットは、弾性部材からなり、携帯電話や旅行小切手、サングラスなど頻繁に取り出される小物類を確実に保持する。ブリーフケーススタイルで伸縮自在なフラップを含んでおり、これはバッグの頂部を覆い、バッグの中に下降して収容物に対する自由なアクセスを提供する。携帯スタイル部には、展開可能な側部ガシェットに深めのポケットがあり、水ボトルや、傘、靴などを保持する。ストラップは、ロープが充填された革の管からなる。コードキットや工具キット、財布が含まれる。
【００１６】
（９）英国特許公開公報第２４３４０８５Ａ号，Ｒｏｂｅｒｔｓ
２００７年７月１８日Ｒｏｂｅｒｔｓ名で公開され、、クラスＡ４Ｇに分類された英国特許公開公報第２４３４０８５Ａ号は、コンピュータのキャリーバッグを開示している。これは、バッグの頂面に取り付けられた支持構造を含んでいる。この支持構造は、バッグの底面からコンピュータが離間するように配されている。この支持構造は、好ましくは、リベットで頂面に取り付けられている。この支持構造は、弾性的で、バックルによって調節可能に固定された第１及び第２の片を含んでいる。使用時、この支持構造は、キャリーかバッグの底面から離した状態でコンピュータを保持し、バッグが外部にぶつかったとき、バッグに伝わった衝撃エネルギーを吸収するように作用する。
【００１７】
（１０）米国特許第７，２９３，６３５Ｂ２号，Ｒｅｐｋｅ  ｅｔ  ａｌ．
２００７年１１月１３日Ｒｅｐｋｅ  ｅｔ  ａｌ．名で発行され、、クラス１９０、サブクラス１０９に分類された米国特許第７，２９３，６３５Ｂ２号は、コンピュータやその他の品目を整理できる旅行用バッグを開示している。これはコンピュータ用隔室を有しており、小物類のためのポケットと二口ポケットを含んでいる。平らなポケットが二口ポケットの二つの側部に配されている。バッグの外側部を開けると、二口ポケットと平らなポケットの内容物にアクセスできる。平らなポケットは、弾性部材からなり、携帯電話や旅行小切手、サングラスなど頻繁に取り出される小物類を確実に保持する。ブリーフケーススタイルで伸縮自在なフラップを含んでおり、これはバッグの頂部を覆い、バッグの中に下降して収容物に対する自由なアクセスを提供する。携帯スタイル部には、展開可能な側部ガシェットに深めのポケットがあり、水ボトルや、傘、靴などを保持する。ストラップは、ロープが充填された革の管からなる。コードキットや工具キット、財布が含まれる。
【００１８】
（１１）米国特許第７，３６０，３７９Ｂ１号，Ｌｏｐｅｚ
２００８年４月２２日Ｌｏｐｅｚ名で発行され、、クラス７０、サブクラス５８に分類された米国特許第７，３６０，３７９Ｂ１号は、ラップトップ・コンピュータ固定構造を開示しており、これは底面と、これに取り付けられ且つこれから上方に延びる周面とを有する旅行鞄を含んでいる。周面は旅行鞄の開口となる上端部を有している。蓋が開閉可能にこの上端部に係合しており、選択的に閉じ位置におかれ、開口の上に広がってこれを閉じる。ファスナーが蓋に取り付けられており、選択的に蓋を閉じ位置に固定する。ケーブルは第１及び第２の端部を有している。ケーブルは、周面に取り付けられている。ケーブルは、周面から旅行鞄のなかに延びている。鍵体がケーブルの第２端部に取り付けられており、ラップトップ・コンピュータに伸び且つこれからはずすことが可能なように鍵を掛ける。
【先行技術文献】
【特許文献】
【００１９】
【特許文献１】米国特許第５，０１０，９８８号
【特許文献２】米国登録意匠第３６０，９７８号
【特許文献３】米国特許第５，６７６，２２３号
【特許文献４】米国登録意匠第４３２，３１１号
【特許文献５】米国特許第６，２１３，２６７Ｂ１号
【特許文献６】米国登録意匠第４４３，９８３Ｓ号
【特許文献７】米国特許公開公報第２００４／０２１７０２７Ａ１号
【特許文献８】米国特許公開公報第２００６／００９０９７６Ａ１号
【特許文献９】英国特許公開公報第２４３４０８５Ａ号
【特許文献１０】米国特許第７，２９３，６３５Ｂ２号
【特許文献１１】米国特許第７，３６０，３７９Ｂ１号
【発明の概要】
【発明が解決しようとする課題】
【００２０】
以上明らかなように、ラップトップ鞄の様々な改良が従来から提案されてきている。これらの改良例は、これらが解決しようとする個々の目的には適しているかもしれないが、これらは、ラップトップ・コンピュータを専用部分に収納し、検査場でＸ線検査を受けたとき、ラップトップ・コンピュータを専用部分から取り出すことなく、そのままで鮮明且つ遮られることが無く明瞭な像を提供するという本願発明の実施形態の目的には適していない。
【００２１】
しかして、本願発明の実施形態の目的は、ラップトップ・コンピュータを専用部分に収納し、検査場でＸ線検査を受けたとき、ラップトップ・コンピュータを専用部分から取り出すことなく、そのままで鮮明且つ遮るものが無く明瞭な像が得られる、検問に適した鞄を提供するものであり、従来技術の不便を克服するものである。
【課題を解決するための手段】
【００２２】
簡潔に述べると、本願発明の実施形態は、ラップトップ・コンピュータを専用部分に収納し、検査場でＸ線検査を受けたとき、ラップトップ・コンピュータを専用部分から取り出すことなく、そのままで鮮明且つ遮られることが無く明瞭な像が得られる、検問に適した鞄を提供するものである。検問に適した鞄は、専用区画と非専用区画とからなる。非専用区画はラップ・トップコンピュータ以外の物品を収納する。専用区画はラップ・トップコンピュータ自体のみを収納し、共通端部でちょうつがいのように非専用区画に取り付けられており、金属製のつまみやチャック、バックルを有さず、ポケットも無く、非検査モードでは個々に離間した箇所により非専用区画に対して互いに隣り合う関係で、取り外し可能に固定されており、これにより非専用区画から専用区画を容易に離すことができ、検査モードでは専用区画は非専用区画から離され、検査場で非専用区画に対して同一平面状で平らに且つぶつからない状態でひろげられ、これにより検査場でＸ線検査を受けたとき、ラップトップ・コンピュータを鞄の専用部分から取り出すことなく専用区画に収納されたラップ・トップコンピュータの鮮明で障害物の無い明瞭な像が得られる。
【００２３】
本願発明の実施形態の新規な特徴は、添付の請求の範囲に記載されている。しかしながら本願発明の実施形態自体は、構造及び動作に関して追加の目的及び効果とともに、添付の図面と合わせて読むことで、以下の特別の実施形態の記載から最もよく理解できる。以下、図面を簡単に説明する。
【図面の簡単な説明】
【００２４】
【図１】図１は、本発明の実施態様にかかる検問に適した鞄の斜視図であって、これは、ラップトップ・コンピュータをその専用部分に収納し、検査場でＸ線検査を受けたとき、ラップトップ・コンピュータを鞄の専用部分から取り出すことなく、そのままで鮮明且つ障害が無く明瞭な像を提供するものである。
【図２】図２は、図１の矢印２で示すＸ線検査モードにある検問に適した鞄の拡大斜視図で、フラップが非専用区画の上に展開されている。
【図３】図３は、Ｘ線非検査モードにある検問に適した鞄の斜視図である。
【図４】図４は検問に適した鞄の斜視図で、フラップが専用区画の上に折り曲げられている。
【発明を実施するための形態】
【００２５】
図面に用いた参照番号の表
【００２６】
Ａ．概括
１０  検問に適した鞄で、ラップトップ・コンピュータ１２をその専用部分１４に収納し、検査場１８でＸ線検査を受けたとき、ラップトップ・コンピュータ１２を鞄の専用部分１４から取り出すことなく、そのままで鮮明且つ遮るものが無く明瞭な像１６を提供するものである。
１２  ラップトップ・コンピュータ
１４  専用部分
１６  鮮明且つ影が無く明瞭な像
１８  検査場
【００２７】
Ｂ．検問に適した鞄１０の構成
２０  専用区画で、ラップトップ・コンピュータ自身のみを収納する。
２２  非専用区画で、ラップトップ・コンピュータ１２以外の物品２４を収納する。
２４  ラップトップ・コンピュータ１２以外の物品
２５  専用区画２０と非専用区画２２の共通端部
２６  個々に離間した部位
２８  個々に離間した部位２６にある一対の第１簡易分離式バックル
３０  専用区画２０と非専用区画２２の互いに隣り合った側面
３２  個々に離間した部位２６にある一対の第１簡易分離式バックル２８の各第１簡易分離式バックルの雄部
３４  個々に離間した部位２６にある一対の第１簡易分離式バックル２８の各第１簡易分離式バックルの雌部
３６  専用区画２０のラップトップ・コンピュータ１２の出し入れをする第１の非金属製チャック
３８  専用区画２０の上面
４０  非専用区画２２に対しラップトップ・コンピュータ１２以外の品物２４の出し入れをする第２の非金属製チャック
４２  非専用区画２２の上面
４４  非専用区画２２の第３の非金属製チャック
４６  非専用区画２２の側面
４８  非専用区画２２の底面
５０  非専用区画用に対しラップトップ・コンピュータ１２以外の品物２４を収納するために用いる一対の平らで開くことのできるサイドガシェットポケット
５２  非専用区画２２の外面
５４  非専用区画２２の外面５２の上部
５６  非専用区画２２の外面５２の下部
５８  非専用区画２２の第４の非金属製チャック
６０  非専用区画２２の第５の非金属製チャック
６２  非専用区画用に対しラップトップ・コンピュータ１２以外の品物２４を収納するために用いる一対の平らで開くことのできる第３のサイドガシェットポケット
６４  非専用区画２２にある第３の平らで開くことのできるサイドガシェットポケット６２にアクセスするための第６の非金属製チャック
６６  フラップ
６８  取っ手
７０  フラップ６６の外面
７２  フラップ６６の開放端
７４  一対の第２簡易分離式バックル
７６  一対の第２簡易分離式バックル７４の各第２簡易分離式バックルの雄部
７８  一対の第２簡易分離式バックル７４の各第２簡易分離式バックルの雌部
８０  フラップ６６の内面
８２  肩掛け帯
【００２８】
好適な実施例の詳細な説明
【００２９】
Ａ．概説
さて図面を参照すると、その中で同じ参照番号は同じ部品を示しており、特に図１を参照する。これは、本願発明の実施例にかかる検問に適した鞄（ｃｈｅｃｋｐｏｉｎｔ−ｆｒｉｅｎｄｌｙ  ｂａｇ）の斜視図である。これは、ラップトップ・コンピュータをその専用部分に収納し、検査場でＸ線検査を受けたとき、ラップトップ・コンピュータを鞄の専用部分から取り出すことなく、そのままで鮮明且つ障害物が無く明瞭な像を提供するものである。本願発明の実施例にかかる検問に適した鞄は概括的に参照番号１０で示されており、ラップトップ・コンピュータ１２をその専用部分１４に収納し、検査場１８でＸ線検査を受けたとき、ラップトップ・コンピュータ１２を鞄の専用部分１４から取り出すことなく、そのままで鮮明且つ障害物が無く明瞭な像１６を提供する。
【００３０】
Ｂ．検問に適した鞄１０の構成
検問に適した鞄１０の構成は、図２−４のそれぞれによく表されており、図２は図１の矢印２で示すＸ線検査モードにある検問に適した鞄の拡大斜視図でフラップが非専用区画の上に展開されており、図３はＸ線非検査モードにある検問に適した鞄の斜視図で、図４は検問に適した鞄の斜視図でフラップが専用区画の上に折り曲げられており、これらの図を参照して以下に説明する。
【００３１】
図２−４に示すように、検問に適した鞄１０は、専用区画２０と非専用区画２２とからなる。非専用区画はラップ・トップコンピュータ以外の物品を収納する。専用区画２０はラップ・トップコンピュータ自体のみを収納し、共通端部２５でちょうつがいのように非専用区画２２に取り付けられており、金属製のつまみやチャック、バックルを有さず、ポケットも無く、非検査モードでは個々に離間した部位２６により非専用区画２２に対して互いに隣り合う関係で、分離可能に固定されており、これにより非専用区画２２から専用区画２０を容易に離すことができ、検査モードでは専用区画は非専用区画２２から分かれ、検査場１８では非専用区画２２に対して同一平面状で平らに且つぶつからない状態で非専用区画２２からひろげられ、これにより検査場１８でＸ線検査を受けたとき、ラップトップ・コンピュータ１２を鞄の専用部分１４から取り出すことなく専用区画２０に収納されたラップ・トップコンピュータ１２の鮮明で影の無い明瞭な像１６が得られる。
【００３２】
更に図２−４に示すように、個々に離間した部位２６は、一対の第１簡易分離式バックル２８からなる。各第１簡易分離式バックル２８はそれぞれ専用区画２０と非専用区画２２の互いに隣り合った側面３０に配されており、検査モードが必要になったとき、容易に専用区画２０を非専用区画２２から外すことができる。
【００３３】
更に図２−４に示すように、個々に離間した部位２６を構成する各第１簡易分離式バックル２８は、雄部３２と雌部３４からなり、それぞれ専用区画２０と非専用区画２２の互いに隣り合った側面３０に配されている。
【００３４】
更に図２−４に示すように、専用区画２０は、第１の非金属製チャック３６を介してラップ・トップコンピュータ１２の出し入れをする。第１の非金属製チャック３６は、共通端部２５の近傍にある専用区画２０の上面３８に配されている。
【００３５】
更に図２−４に示すように、非専用区画２２は、第２の非金属製チャック４０を介してラップ・トップコンピュータ１２以外の物品２４の出し入れをする。第２の非金属製チャック４０は、共通端部２５の近傍にある非専用区画２２の上面４２に配されている。
更に図２−４に示すように、非専用区画２２は、第３の非金属製チャック４４を介して展開できる。第３の非金属製チャック４０は、非専用区画２２の側面４６及び底面４８にかけて連続するように配されている。
【００３６】
更に図４に示すように、非専用区画２２は、一対の平らで開くことのできるサイドガシェットポケット５０を備えている。一対のサイドガシェットポケット５０は、ラップ・トップコンピュータ１２以外の品物を収納するために、非専用区画２２の外面で上側部５４及び下側部５６のそれぞれに配されている。
【００３７】
更に図４に示すように、非専用区画２２にある一対の平らで開くことのできるサイドガシェットポケット５０は、第４の非金属製チャック５８び第５の非金属製チャック６０でそれぞれ開き閉めする（図４）。
【００３８】
更に図４に示すように、非専用区画２２の外面で上側部５４に配されている平らで開くことのできるサイドガシェットポケット５０は、その中に第３の平らで開くことのできるサイドガシェットポケット６２を収めている。第３の平らで開くことのできるサイドガシェットポケット６２は、第６の非金属製チャック６４を介してラップ・トップコンピュータ１２以外の品物を出し入れできる。
【００３９】
更に図２−４に示すように、検問に適した鞄１０は、フラップ６６を備えている。フラップ６６は、共通端部２５の近傍でちょうつがい状に専用区画２０に取り付けられており、Ｘ線検査モードでは非専用区画２２の外面５２に重ねられる一方、非検査モード時及び一対の平らで開くことのできるサイドガシェットポケット５０若しくは第３の平らで開くことのできるサイドガシェットポケット６２に対するアクセスが必要な時には専用区画２０に重ねられる。
【００４０】
更に図２−４に示すように、検問に適した鞄１０は、取っ手６８を備えている。取っ手６８は、フラップ６６の外面７０に取り付けられており、その開放端７２に向かって中央から偏っている。
【００４１】
更に図２−４に示すように、検問に適した鞄１０は、一対の第２簡易分離式バックル７４を備えている。各第２簡易分離式バックル７４は非専用区画２２の外面５２でその下部５６と、フラップ７６の内面８０でその開放端７２近傍とに配されているおり、一対の平らで開くことのできるサイドガシェットポケット５０若しくは第３の平らで開くことのできるサイドガシェットポケット６２に対するアクセスが必要な時に、非専用区画か２２からフラップ６６を簡単に取り外せるようになっている。
【００４２】
更に図２−４に示すように、各第２簡易分離式バックル７４は、雄部７６と雌部７８からなり、それぞれ専用区画２２の外面５２でその下部、及びフラップ６６の内面８０でその開放端７２近くに配されている。
【００４３】
更に図３に示すように、検問に適した鞄１０は、肩掛け帯８２を備えている。肩掛け帯８２は、取り外し可能に専用区画２０の一方の側面３０から同じく専用区画２０の他方の側面３０に延びている。
【００４４】
Ｃ．効果
明らかなことであるが、上述した要素の各々あるいは二三個の集まりは、上述したタイプとは別のタイプの構造に適用する場合にも有用である。
【００４５】
本願発明の実施例は上述したように、ラップトップ・コンピュータをその専用部分に収納し、検査場でＸ線検査を受けたとき、ラップトップ・コンピュータを鞄の専用部分から取り出すことなく、そのままで鮮明且つ影が無く明瞭な像を提供する検問に適した鞄として具現化されたものであったが、本願発明はこれらの示された詳細例に限られるものではなく、明らかなことではあるが上述した本願発明の実施態様の形態や詳細、更にはそれらの動作に関して、当業者なら本願発明の実施態様の本質から離れることなく、様々な簡略化や、変形、取替え、変更などがどのようにでも可能である。
【００４６】
これ以上追加の解析を加えるまでも無く、上記の内容から本願発明の実施態様の本質が十分明らかであり、本願発明の実施形態の総括的若しくは特異的な特徴からはなれることなく、従来技術に照らし現状の知識を応用することで、他の者はこれらを様々な応用に容易に採用可能である。
【図１】
0005729729.tif 000002
【図２】
0005729729.tif 000003
【図３】
0005729729.tif 000004
【図４】
0005729729.tif 000005